(57)【要約】【課題】  運搬者が腰を曲げなくても容易に持ち上げることができる椅子、及この椅子を備えた小型車両を提供する。【解決手段】  台座と、前記台座に直立した脚棒と、前記脚棒の上端に設置された平板と、その座席板が前記平板に敷設され、且つ、該座席板の前端近くが前記平板の前端近くに枢止されていて前記平板上面にある正常位置から前へ直立する折畳み位置まで翻されることができる座席部材と、前記平板上面の前端近くに固設されており、且つその背面に第１の係止部が形成してある係止部材と、前記座席板の裏面に、前記正常位置においての前後方向に延伸し、且つその後端が前記下面外に突出する上、該後端が操作されると前後方向に移動することができるように設置されていて前記正常位置においてその前端が前記操作により後ろから前記第１の係止部に当接して係止され、前記座席部材を前記正常位置に固定することができる係止棒とを備えている。【選択図】  図３
2006327543.tif 000002
【特許請求の範囲】
【請求項１】
台座と、
前記台座に直立した脚棒と、
前記脚棒の上端に設置された平板と、
その座席板が前記平板に敷設され、且つ、該座席板の前端近くが前記平板の前端近くに枢止されていて前記平板上面にある正常位置から前へ直立する折畳み位置まで翻されることができる座席部材と、
前記平板上面の前端近くに固設されており、且つ、その背面に第１の係止部が形成してある係止部材と、
前記座席板の裏面に、前記正常位置においての前後方向に延伸し、且つその後端が前記下面外に突出する上、該後端が操作されると前後方向に移動することができるように設置されていて前記正常位置においてその前端が前記操作により後ろから前記第１の係止部に当接して係止され、前記座席部材を前記正常位置に固定することができる係止棒手段とを備えてなった椅子。
【請求項２】
前記係止部材の上面に更に第２の係止部が形成してあり、前記折畳み位置において前記係止棒の前端が前記操作により上から前記第２の係止部に当接して係止され、前記座席部材を前記折畳み位置に固定することができることを特徴とする請求項１に記載の椅子。
【請求項３】
前記係止棒には該係止棒を前記正常位置においての前へ付勢させる弾性付勢手段が取り付けられており、前記係止棒の後端が特に外へ引っ張られていない場合、前記正常位置においては、前記係止棒の前端が自ずと前記第１の係止部に当接し、前記折畳み位置においては、前記係止棒の前端が自ずと前記第２の係止部に当接することができることを特徴とする請求項２に記載の椅子。
【請求項４】
前記第１及び第２の係止部は、いずれも前記係止部材の周縁に形成してある凹孔であってそれぞれ前記正常位置及び前記折畳み位置において前記係止棒の前端を受けて係止することができることを特徴とする請求項３に記載の椅子。
【請求項５】
前記係止部材の周縁の前記第１の係止部と前記第２の係止部との間は円滑的なカーブになったことを特徴とする請求項４に記載の椅子。
【請求項６】
前記係止部材は、前記座席部材の座席板を前記平板に枢止するための枢止部材ともなっていることを特徴とする請求項１〜請求項５のいずれか一項に記載の椅子。
【請求項７】
前記脚棒は、内外管両管を有し、内管が上管になり外管が下管になる上、そのロック手段が解除されると該内管が該外管より上へ引き出されて分離することができるように構成されたロック手段付き入れ子管からなっていることを特徴とする請求項１〜請求項５のいずれか一項に記載の椅子。
【請求項８】
その車台を前記台座とするように前記請求項１〜請求項７のいずれか一項に記載の椅子を取り付けた小型車両。
【発明の詳細な説明】
【技術分野】
【０００１】
本発明は椅子、特に小型車両に使用される椅子、乃至この椅子を備えた小型車両に関する。
【背景技術】
【０００２】
従来の小型車両、例えば貨物を運ぶための小型ワゴンや身障者用の車椅子などには、通常、図１のように、台座１と、前記台座１に直立した脚棒１０３と、前記脚棒１０３の上端に上へ脱着可能に設置されている座席部３０１とからなった椅子が取り付けられている。このような小型車両は、搬送や貯蔵などのため前記椅子を取り外そうとする場合、運搬者は座席部３０１を外してから、座席部の下面で椅子を持ち上げるために必ず腰を曲げなければならない。
【発明の開示】
【発明が解決しようとする課題】
【０００３】
前記に鑑みて、本発明は、小型車両の車台から取り外そうとする場合、運搬者は腰を曲げなくても容易に持ち上げることができる椅子を提供しようとすることをその目的とする。  
本発明は、更に、前記椅子を備えた小型車両を提供しようとすることをその目的とする。
【０００４】
また、通常の椅子は、その基礎としてのものが前記車台ではなく、それ自体に設けてある台座であり、即ち、通常の椅子は、台座と、前記台座に直立した脚棒と、前記脚棒の上端に設置された座席部材とからなっているため、本発明は、他の側面から、運搬者が腰を曲げなくても容易に持ち上げられる椅子を提供しようとすることをその目的とする。
【課題を解決するための手段】
【０００５】
前記目的を達成するために、本発明は、まず、台座と、前記台座に直立した脚棒と、前記脚棒の上端に設置された平板と、その座席板が前記平板に敷設され、且つ、該座席板の前端近くが前記平板の前端近くに枢止されていて前記平板上面にある正常位置から前へ直立する折畳み位置まで翻されることができる座席部材と、前記平板上面の前端近くに固設されており、且つ、その背面に第１の係止部が形成してある係止部材と、前記座席板の裏面に、前記正常位置においての前後方向に延伸し、且つその後端が前記下面外に突出する上、該後端が操作されると前後方向に移動することができるように設置されていて前記正常位置においてその前端が前記操作により後ろから前記第１の係止部に当接して係止され、前記座席部材を前記正常位置に固定することができる係止棒とを備えてなったものをその椅子の基礎構造とする。
【０００６】
前記係止部材は、その上面に更に第２の係止部が形成してあるものが好ましい。  
前記係止棒には該係止棒を前記正常位置においての前へ付勢させる弾性付勢手段が取り付けられいることが好ましい。
【０００７】
また、前記脚棒は、内外管両管を有し、内管が上管になり外管が下管になる上、そのロック手段が解除されると該内管が該外管より上へ引き出されて分離することができるように構成されたロック手段付き入れ子管からなっていることが好ましい。  
最後に、本発明は、前記椅子を備えた小型車両をも提供する。
【発明の効果】
【０００８】
前記基礎構造による椅子は、その座席部材の座席板が脚棒の上端に設置された平板に敷設され、且つ、該座席板の前端近くが前記平板の前端近くに枢止されているので、前記平板上面にある正常位置から前へ直立する折畳み位置まで翻されることができる。
【０００９】
前記係止部材の上面に第２の係止部材が形成してある場合、前記折畳み位置において前記係止棒の前端が前記操作により上から前記第２の係止部に当接して係止され、前記座席部材を前記折畳み位置に固定することができるので、運搬者は、腰を曲げていないまま、直立になった座席板を掴んで椅子全体を持ち上げることができる。
【００１０】
前記係止棒に該係止棒を前記正常位置においての前へ付勢させる弾性付勢手段が取り付けられいる場合、前記係止棒が第１の係止部または第２の係止部によって係止されることは、手動によらず、その位置がいわゆる正常位置または折畳み位置にあればおのずと行われることができる。
【００１１】
また、前記脚棒が、内外管両管を有し、内管が上管になり外管が下管になる上、そのロック手段が解除されると該内管が該外管より上へ引き出されて分離することができるように構成されたロック手段付き入れ子管からなっている場合、運搬者は、必要に応じ、椅子全体でなく、座席部材だけを持ち上げることができるので、通常の椅子としてはもちろん、小型車両に特に適用されうる。
【発明を実施するための最良の形態】
【００１２】
以下、図示を参照しながら本発明の好適な実施形態を詳細に説明する。また、本発明に関する前記及び他の技術内容、特徴と機能は、下記の好適な実施の形態の説明から分かれるようになる。
【００１３】
図２に示されているのは、本発明の椅子の好適な実施形態例が取り付けられている身障者用の小型車両である。この実施形態例の椅子は、小型車両の車台２００をその台座としている上、車台２００に直立した脚棒１０と、脚棒１０の上端に設置された平板２３と、その座席板２２が平板２３に敷設され、且つ該座席板２２の前端近くが平板２３の前端近くに枢止されていて平板２３上面にある正常位置から前へ直立する折畳み位置まで翻されることができる座席部材２０と、平板２３上面の前端近くに固設されており、且つその背面に第１の係止部３４１が形成してある係止部材３４と、座席板２２の裏面に、前記正常位置においての前後方向に延伸し、且つその後端３５１が前記下面外に突出する上、該後端３５１が操作されると前後方向に移動することができるように設置されていて前記正常位置においてその前端３２２が前記操作により後ろから第１の係止部３４１に当接して係止され、座席部材２０を前記正常位置に固定することができる係止棒手段３０とを備えてなっている。また、係止部材３４の上面に更に第２の係止部３４２が形成してあり、前記折畳み位置において係止棒手段３０の前端３２２が前記操作により上から第２の係止部３４２に当接して係止され、座席部材２０を前記折畳み位置に固定することができる。
【００１４】
もっと詳しくは、図３に示すように、係止部材３４は左右一対あり、また、係止棒手段３０は、それらの先端がそれぞれ係止棒手段３０の前端３２２になった左右一対の横棒３２と、左右に一対の通孔を有し、且つ該一対の通孔によって前記一対の横棒３２に挿通されている横板３１と、その前端が前記一対の横棒３２の後端を連結し、後端が取っ手の形に形成されていて係止棒手段３０の後端３５１になった係止棒３５と、前記一対の横棒３２それぞれの後端部に嵌挿されると共に前記一対の横棒３２それぞれの後端近くと係止棒３５の前端との間に挟まれていて該一対の横棒３２を前記正常位置においての前へ付勢させている弾性付勢手段３３とからなっている。それにより、係止棒手段３０は、前記後端３５１が特に外へ引っ張られていない場合、弾性付勢手段３３により、前記正常位置においてその前端３２２が自ずと第１の係止部３４１に当接し、前記折畳み位置においてその前端３２２が自ずと第２の係止部３４２に当接することができる。
【００１５】
前記のように、第１の係止部３４１及び第２の係止部３４２はそれぞれ前記正常位置及び前記折畳み位置に対応し、即ち係止部材３４の周縁の互いに直交した位置にある。この実施形態例における第１の係止部３４１及び第２の係止部３４２はいずれも凹孔になっていてそれぞれ前記正常位置及び前記折畳み位置において係止棒手段３０の前端３２２を受けて係止することができる。また、第１の係止部３４１と第２の係止部３４２との間は円滑的なカーブ３４３になっているので、前記後端３５１が弾性付勢手段３３に対抗して外へ引っ張られて第１の係止部３４１または第２の係止部３４２の凹孔（即ち正常位置または折畳み位置）から脱出した場合、前記前端３２２は前記カーブ３４３に沿って他の一つの凹孔に円滑的に移動されることができる。そして、図示のように、係止部材３４は、座席部材２０の座席板２２を平板２３に枢止するための枢止部材２２４ともなっている。
【００１６】
図示のように、座席部材２０は、座席板２２の他に、更に、保持板２２１と、背もたれ２２３と、肘掛け２２５とを備えている。保持板２２１は座席板２２を強化するためのもので、座席板２２の裏面に張り付けられてそれと一体になっている上、その先端縁が係止部材３４にヒンジされているので、座席板２２を載置して平板２３の上面にある正常位置から前へ直立する折畳み位置まで翻すことができる。
【００１７】
背もたれ２２３と肘掛け部２２５は使用者に良い座り心地を与えるものである。また、折畳み位置にある座席部材２０をもっと簡素化させるため、背もたれ２２３と肘掛け２２５とも折畳可能に構成されている。
【００１８】
脚棒１０は、内外両管２１、１１を有し、内管２１が上管になり外管１１が下管になる上、そのロック手段１４が解除されると、内管２１が外管１１より上へ引き出されて分離することができるように構成されたロック手段１４付き入れ子管からなっている。ロック手段１４は従来のものであるので、その詳細な説明を省く。
【００１９】
該実施形態例の椅子は更に高さ調整装置を備えている。該高さ調整装置は、外管１１の外表面に上下方向に沿うように形成してある一連の通孔１２と、内管２１の表面に前記一連の通孔１２と対応できるように形成してある通孔（この実施形態例においては内管２１の下端部に形成されているので下端縁の前後位置に一対の開口２１３になっている）とからなっている。それにより、前記一連の通孔１２の中にあるもっとも適当な一つを内管２１の通孔と一致させてから止めピン１３を挿入することにより椅子の使用者に適合する高さを調整することができる。
【００２０】
小型車両から該椅子を取り外そうとする場合、まず、図５に示すように、椅子が正常位置にある場合の係止棒３０の後端３５１を座席部材２０の後側へ引っ張ってから、座席部材２０を前記正常位置から前へ直立する折畳み位置の方（矢印の方向）へ翻す。この操作中、係止棒３０の前端３２２は第１の係止部３４１と第２の係止部３４２との間の円滑的なカーブ３４３に沿って矢印の方向へ移動する。次に、座席部材２０が前へ直立になり、即ち折畳みに到達した場合、この時係止棒手段３０の前端３２２も既に第２の係止部３２２に到達したので、係止棒手段３０の後端３５１を放して係止棒手段３０の前端３２２を第２の係止部３４２に当接させた。それから、脚棒１０に付いているロック手段１４を解除すると、容易に内管２１と共に椅子全体を外管１１より上へ引き出して分離させる。
【００２１】
逆に、該椅子を小型車両に取り付ける時、直接、座席部材２０に枢止されている内管２１を車台２００に直立した脚棒１０の外管１１に挿入してから、止めピン１３で椅子を適当な高さに位置させ、そしてロック手段１４によりロックすることができる。
【００２２】
以上、記述したものは本発明の好適な実施形態の一つだけであって、本発明を限定するものではなく、本発明の特許請求の範囲及び明細書に基づく簡単な変更や修飾することも本発明の範囲に属する。
【００２３】
本発明の構成による椅子は、小型車両の車台又は椅子の台座から取り外そうとする場合、搬運者は腰を曲げなくても容易に持ち上げるので、通常の椅子としてはもちろん、貨物を運ぶための小型ワゴンや身障者用の車椅子などの小型車両にも適用されうる。
【図面の簡単な説明】
【００２４】
【図１】従来の小型車両の分解斜視図。
【図２】本発明の好適な実施形態の椅子が取り付けられている小型車両の側面図。
【図３】本発明の好適な実施形態の椅子の一部拡大の分解斜視図。
【図４】本発明の好適な実施形態の椅子の側面図。
【図５】本発明の好適な実施形態の椅子の座席部材を翻そうとして、係止棒手段を操作する状態を示す側面図。
【図６】本発明の好適な実施形態の椅子を折畳み位置にした状態を示す側面図。
【符号の説明】
【００２５】
１０  脚棒
１１  外管
１２  通孔
１３  止めピン
１４  ロック手段
２０  座席部材
２００  車台
２１  内管
２１３  開口
２２  座席板
２２１  保持板
２２３  背もたれ
２２４  枢止部材
２２５  肘掛け
２３  平板
３０  係止棒手段
３１  横板
３２  横棒
３２２  係止棒手段の前端
３３  弾性付勢手段
３４  係止部材
３４１  第１の係止部
３４２  第２の係止部
３４３  カーブ
３５  係止棒
３５１  係止棒手段の後端
４００  操舵輪装置
【図１】
2006327543.tif 000003
【図２】
2006327543.tif 000004
【図３】
2006327543.tif 000005
【図４】
2006327543.tif 000006
【図５】
2006327543.tif 000007
【図６】
2006327543.tif 000008